(57)【要約】【目的】  本発明の目的は、インターロック機構を操作し忘れることのない照明装置を提供する。【構成】  照明装置は、蛍光ランプＬの一対の口金２０から突出した２本のピン２１が上下方向に接続可能な一対のソケット部１００と、このソケット部１００に電力を供給し、蛍光ランプＬを点灯させることが可能な点灯手段２００と、この点灯手段２００をオン／オフする一対のインターロック機構３００と、ソケット部１００に設けられ、当該ソケット部１００に接続された口金２０を保持する一対の保持部４００とを備える。インターロック機構３００は、保持部４００を、口金２０を保持した状態でロック可能であり且つ前記上下方向と直交する方向に移動可能なロック手段３１０と、ロック手段３１０がロック位置／ロック解除位置に位置したときに、点灯手段２００をオン／オフするスイッチ手段３２０とを有する。【選択図】      図６
2008218209.tif 000002
【特許請求の範囲】
【請求項１】
蛍光ランプの口金から突出したピンが接続可能なソケット部と、
このソケット部に電力を供給し、蛍光ランプを点灯させることが可能な点灯手段と、
この点灯手段をオン／オフするインターロック機構と、
ソケット部に設けられ、当該ソケット部に接続された口金を保持可能な保持部と、を備えており、
インターロック機構は、口金を保持した状態の保持部をロック可能であり且つそのロック位置からロック解除位置にかけて移動操作可能なロック手段と、
ロック手段がロック位置／ロック解除位置に位置したときに、点灯手段をオン／オフするスイッチ手段とを有することを特徴とする照明装置。
【請求項２】
口金の両端面に一対の係止部が設けられている場合の請求項１記載の照明装置において、
保持部は口金の一対の係止部を係止可能な一対の爪部を有しており、
ロック手段は、ロック位置に位置したとき、一対の爪部を外側から押さえる一対の押さえアームを有することを特徴とする照明装置。
【請求項３】
一対の係止部が口金の両端面にピンの着脱方向と略直交する直交方向に向けて設けられた突脈又は長溝であり、且つロック手段がロック位置からロック解除位置にかけて前記直交方向に移動するようになっている場合の請求項２記載の照明装置において、
一対の爪部は、一対の係止部の長さ方向の一端部を係止可能になっており、
ロック手段は、一対の押さえアームの前記長さ方向の他端側に配設される一致の係止片を有しており、
一対の押さえアームが、一対の爪部を押さえた状態で、一対の係止片が一対の係止部の長さ方向の他端部を係止可能になっていることを特徴とする照明装置。
【発明の詳細な説明】
【技術分野】
【０００１】
本発明は、蛍光ランプが接続可能な照明装置に関する。
【背景技術】
【０００２】
この種の照明装置は、蛍光ランプの着脱時に、その電源をオン／オフするインターロック機構を備えたものがある（特許文献１参照）。
【０００３】
【特許文献１】特開２０００-０１２２７５号公報
【発明の開示】
【発明が解決しようとする課題】
【０００４】
ところが、前記インターロック機構は、蛍光ランプの取り付け／取り外し時に人によって操作されるため、操作し忘れる可能性がある。
【０００５】
本発明は、上記事情に鑑みて創案されたものであって、その目的とするところは、インターロック機構を操作し忘れることのない照明装置を提供することにある。
【課題を解決するための手段】
【０００６】
上記課題を解決するために、本発明の照明装置は、蛍光ランプの口金から突出したピンが接続可能なソケット部と、このソケット部に電力を供給し、蛍光ランプを点灯させることが可能な点灯手段と、この点灯手段をオン／オフするインターロック機構と、ソケット部に設けられ、当該ソケット部に接続された口金を保持可能な保持部と、を備えており、インターロック機構は、口金を保持した状態の保持部をロック可能であり且つそのロック位置からロック解除位置にかけて移動操作可能なロック手段と、ロック手段がロック位置／ロック解除位置に位置したときに、点灯手段をオン／オフするスイッチ手段とを有している。
【０００７】
口金の両端面に一対の係止部が設けられている場合、保持部は、口金の一対の係止部を係止可能な一対の爪部を有している。ロック手段は、ロック位置に位置したとき、一対の爪部を外側から押さえる一対の押さえアームを有する。
【０００８】
一対の係止部が口金の両端面にピンの着脱方向と略直交する直交方向に向けて設けられた突脈又は長溝であり、且つロック手段がロック位置からロック解除位置にかけて前記直交方向に移動するようになっている場合、一対の爪部は、一対の係止部の長さ方向の一端部を係止可能になっている。ロック手段は、一対の押さえアームの前記長さ方向の他端側に配設される一致の係止片を有しており、一対の押さえアームが、一対の爪部を押さえた状態で、一対の係止片が一対の係止部の長さ方向の他端部を係止可能になっている。
【発明の効果】
【０００９】
本発明の請求項１又は２記載の照明装置による場合、インターロック機構のロック手段により、保持部がソケット部に接続された口金を保持した状態でロックされるようになっている。また、このロック手段の保持部のロック／ロック解除に応じて、スイッチ手段が点灯手段をオン／オフするようになっている。このため、蛍光ランプの口金をソケット部から取り外すには、ロック手段の保持部のロックを解除すると共に、スイッチ手段により点灯手段をオフにしなければならないので、点灯手段がオンの状態で蛍光ランプがソケット部から取り付け／取り外されるのを防止することができる。
【００１０】
本発明の請求項３記載の照明装置による場合、ロック手段がピンの着脱方向と略直交する方向に移動操作され、ロック位置に位置すると、その一対の押さえアームが保持部の一対の爪部を口金の一対の係止部の長さ方向の一端部を係止した状態で押さえると共に、当該ロック手段の一対の係止片が一対の係止部の長さ方向の他端部を係止するようになっている。このようにロック手段で保持部を押さえるだけでなく、口金を係止することができるので、当該口金がソケット部から無理に取り外されるのを防止することができる。よって、点灯手段がオンの状態で蛍光ランプが取り付け／取り外しされるのを防止する上でメリットがある。しかも、ロック手段を前記直交方向に移動操作するだけであるので、簡単な操作で、ロック手段のロック／ロック解除及びスイッチ手段の点灯手段のオン／オフを行うことができる。
【発明を実施するための最良の形態】
【００１１】
以下、本発明の実施の形態に係る照明装置について図面を参照しながら説明する。
図１は本発明の実施の形態に係る照明装置の概略的正面図、図２は同装置に使用される蛍光ランプを示す図であって、( ａ) が正面図、( ｂ）が長さ方向の一端部の側面図、図３は同装置の側面図、図４は同装置の長さ方向の一端部の一部の内部構造を示した概略的平面図、図５は同装置のＡーＡ断面図、図６は同装置のＢーＢ断面図、図７は同装置のインターロック機構の概略的平面図であって、（ａ）がスイッチ動作前の状態を示す図、（ｂ）がスイッチ動作後の状態を示す図、図８は同装置のインターロック機構のロック手段の概略的斜視図、図９は同装置の回路図である。
【００１２】
ここに掲げる照明装置は、蛍光ランプＬの一対の口金２０から突出した２本のピン２１が上下方向（これが、ピンの着脱方向となる。）に接続可能な一対のソケット部１００と、このソケット部１００に電力を供給し、蛍光ランプＬを点灯させることが可能な点灯手段２００と、この点灯手段２００をオン／オフする一対のインターロック機構３００と、ソケット部１００に設けられ、当該ソケット部１００に接続された口金２０を保持する一対の保持部４００と、ソケット部１００、点灯手段２００インターロック機構３００及び保持部４００を収容する筐体５００と、この筐体５００の両端の板部５３０と一対のソケット部１００との間に介在する一対の弾性体６００と、一対のソケット部１００及び保持部４００を筐体５００の長さ方向の両端部に固定する一対の第１の固定金具７１０と、一対のインターロック機構３００のスイッチ手段３２０を筐体５００の長さ方向の両端部に固定する一対の第２の固定金具７２０とを具備している。
【００１３】
蛍光ランプＬは、図１及び図２に示すように、ランプ本体１０と、このランプ本体１０の長さ方向の両端部に、当該長さ方向と直交する方向に向けて設けられた一対の口金２０とを有する。この口金２０の下面には、２本のピン２１が設けられている。また、口金２０の幅方向の両側面には、前記長さ方向に向けた突脈である一対の係止部２２が設けられている。
【００１４】
以下、前記照明装置の各部について詳しく説明する。
【００１５】
筐体５００は、図３、図４、図５及び図６に示すように、矩形状の箱体であって、断面視凹字状の筐体本体５１０と、この筐体本体５１０の上端に置かれる反射板５２０と、筐体本体５１０の長さ方向の両端に取り付けられる２枚の板部５３０とを有する。
【００１６】
筐体本体５１０の幅方向の両内壁面の中央部には、図５に示すように、一対の第１の溝部５１１が長さ方向に沿って設けられている。この筐体本体５１０の前記両内壁面の下端部には、一対の第２の溝部５１２が長さ方向に沿って設けられている。また、筐体本体５１０の先端部には、反射板５２０の係止爪５２２を係止する係止凸部５１３が設けられている。
【００１７】
第１の溝部５１１は、インターロック機構３００のロック手段３１０が筐体本体５１０の長さ方向（即ち、前記上下方向と直交する直交方向）に移動自在に嵌まり込むガイド溝である。
【００１８】
第２の溝部５１２は、ソケット部１００を筐体本体５１０に固定する第１の固定金具７１０の端部と、インターロック機構３００のスイッチ手段３２０を筐体本体５１０に固定する第２の固定金具７２０とが各々前記長さ方向に移動自在に嵌まり込む溝である。
【００１９】
板部５３０は、図３に示すように、下方の両角部が切り欠かれており、当該切欠き部が各々筐体本体５１０に取り付けられた状態で、気温の寒暖等により筐体本体５１０に溜まった水を抜くための水抜孔５３１となる。また、板部５３０には、点灯手段２００の電源２１０に接続される図示しない電源ケーブルを外部に導出するための２つの導出孔５３２が設けられている。
【００２０】
反射板５２０は、蛍光ランプＬのランプ本体１０と対向する部分が反射加工された板状体である。この反射板５２０の長さ方向の両端部には、図３及び図５に示すように、一対のソケット部１００を外部に露出させるための一対の切欠き部５２１が設けられている。この反射板５２０の幅方向の両端部には、図５に示すように、筐体本体５１０の幅方向の両端部の係止凸部５１３に係止される係止爪５２２が設けられている。この係止爪５２２が筐体本体５１０の係止凸部５１３に係止されることにより、反射板５２０が筐体５１０の上面開口を塞ぐ蓋として機能する。
【００２１】
第１の固定金具７１０は、図５及び図６に示すように、矩形状の板部７１１と、この板部７１１の４つの角部に下方に向けて設けられた略Ｌ字状の４つの脚部７１２と、板部７１１の両端面の中央部に上方に向けて設けられた略逆Ｌ字状の２つのフランジ部７１３とを有する。板部７１１の上面にソケット部１００及び保持部４００がネジ止めされる。４つの脚部７１２が幅方向の両端部が筐体本体５１０の一対の第２の溝部５１２に嵌まり込むことにより、第１の固定金具７１０が当該筐体本体５１０にその長さ方向に移動自在に取り付けられる。フランジ部７１３は、点灯手段２００の電源２１０に接続された電線をガイドするガイド片である。
【００２２】
第２の固定金具７２０は、図４及び図６に示すように、断面視Ω状に折り曲げた板状の固定部本体７２１と、この固定部本体７２１の中間部に連設される略Ｌ字状の取付アーム７２２とを有する。
【００２３】
固定部本体７２１は、その幅方向の両端部が筐体本体５１０の一対の第２の溝部５１２に嵌まり込むことにより、当該筐体本体５１０にその長さ方向に移動自在に取り付けられる。また、固定部本体７２１の中央部の下面にインターロック機構３００のスイッチ手段３２０が取り付けられる。
【００２４】
取付アーム７２２は、反射板５２０にネジ止めされる。これにより、反射板５２０が筐体本体５１０に固定されると共に、第２の固定金具７２０が位置固定される。
【００２５】
ソケット部１００の上面には、図４に示すように、蛍光ランプＬの２本のピン２１が挿入される２つの接続穴１１０が設けられている。また、ソケット部１００の上面の２つの接続穴１１０の回りには、略円形のゴム製のパッキン部１２０が設けられている。更に、ソケット部１００の上面の長さ方向の一端部には、図５及び図６に示すように、蛍光ランプＬの口金２０が当接する断面視Ｌ字状の突起部１３０が設けられている。
【００２６】
突起部１３０の上端部は、蛍光ランプＬの口金２０の後端部の形状に対応して略円弧状となっている。この突起部１３０が蛍光ランプＬの口金２０に押されることにより、ソケット部１００及び第１の固定金具７１０が筐体５００の長さ方向に移動するようになっている。また、突起部１３０は、蛍光ランプＬの口金２０の後端部をガイドし、当該蛍光ランプＬの２本のピン２１をソケット本体１１０の２つの接続穴１１０に導くようになっている。
【００２７】
また、ソケット部１００の内部には、２つの接続穴１１０に挿入された２本のピン２１と電気的に接続される図示しない一対の端子部（導電部）が設けられている。この端子部は点灯手段２００の安定器２２０に図示しない電線を通じて接続される。
【００２８】
ソケット部１００の長さ方向の一端面には、図６に示すように、弾性体６００をガイドし且つ保持する円柱状のガイド突起１４０とを有している。
【００２９】
弾性体６００は、図４及び図６に示すように、中央部が凸となるように湾曲させた板バネである。この弾性体６００の中央部には、ガイド突起１４０が挿入される円形の開口が設けられている。即ち、弾性体６００は、前記開口にソケット部１００のガイド突起１４０が挿入される一方、長さ方向の両端部が筐体５００の板部５３０の内壁面 に当接する。これにより、弾性体６００が、筐体５００の板部５３０とソケット部１００との間に介在する。
【００３０】
保持部４００は、図４、図５及び図６に示すように、ソケット部１００の下面に取り付けられる凹字状の本体部４１０と、この本体部４１０の両先端部に上方に向けて連設された一対の爪部４２０とを有している。
【００３１】
爪部４２０の先端部は、内側に向けて略く字状に折り曲げられている。この爪部４２０の先端部は、本体部４１０がソケット部１００の下面に取り付けられた状態で、ソケット部１００の上面よりも上方に突出する。即ち、爪部４２０がソケット部１００の上の口金２０の係止部２２の長さ方向の一端部を係止することにより、当該口金２０をソケット部１００に接続された状態で保持する。
【００３２】
インターロック機構３００は、口金２０を保持した状態の保持部４００をロック可能なロック手段３１０と、点灯手段２００をオン／オフするスイッチ手段３２０とを有する。
【００３３】
ロック手段３１０は、図４乃至図８に示すように、一対のランナ板３１１と、このランナ板３１１の内側部の前記長さ方向の他端部に直角に設けられた一対のベース板３１２と、このベース板３１２の前記長さ方向の他端部を繋ぐ連結板３１３と、ベース板３１２の前記長さ方向の一端部に連設された一対の押さえアーム３１４と、ベース板３１２の上端部に内側に向けて直角に連設された平板状の一対の係止片３１５と、一方のランナ板３１１に取り付けられるスイッチ操作金具３１６とを有する。
【００３４】
ランナ板３１１は、その外側部が第１の溝部５１１に嵌まり込む。これにより、ロック手段３１０が、筐体５００にその長さ方向の図７（ａ）に示すロック位置から図７（ｂ）に示すロック解除位置にかけて移動自在に保持される。
【００３５】
連結板３１３は、ロック手段３１０が前記ロック位置に位置したとき、ベース板３１２のソケット部１００に当接しない上方位置に設けられている。この連結板３１３の長さ寸法は、ソケット部１００及び口金２０の幅寸法よりも若干大きくなっている。これにより、ロック手段３１０が前記ロック位置に位置したとき、ソケット部１００及びこのソケット部１００上の口金２０が一対のベース板３１２の間に挿入される。
【００３６】
押さえアーム３１４は、その先端部が内側に向けて略く字状に折り曲げられている。この押さえアーム３１４の先端部が、ロック手段３１０が前記ロック位置に位置したとき、口金２０の係止部２２を係止した状態の爪部４２０を外側から押さえ係止する。これにより、保持部４００が口金２０を保持した状態でロックされる。
【００３７】
ベース板３１２は、ランナ板３１１が第１の溝部５１１に嵌まり込んだ状態で、その上端がソケット部１００上の口金２０の係止部２２より若干上に位置する高さとなっている。このため、ロック手段３１０が前記ロック位置に位置したとき、係止片３１５がソケット部１００上の口金２０の係止部２２の長さ方向の他端部を係止する。
【００３８】
スイッチ操作金具３１６は、上端部が一方のランナ板３１１にネジ止めされる断面略Ｌ字状の取付板３１６ａと、この取付板３１６ａの下端部に連設された操作片３１６ｂとを有する。
【００３９】
操作片３１６ｂは、中央部が内側に向けて折り曲げられている。この操作片３１６ｂの折曲部がスイッチ手段３２０のアクチュエータ３２１を操作する部位となっている。
【００４０】
スイッチ手段３２０としては、周知のマイクロスイッチを用いている。このスイッチ手段３２０は、図９に示すように、点灯手段２００の電源２１０と安定器２２０との間に接続され、アクチュエータ３２１が操作されると、電源２１０と安定器２２０との接続をオフにするようになっている。
【００４１】
点灯手段２００は、電源２１０と、この電源２１０にスイッチ手段３２０を介して接続される安定器２２０とを有している。安定器２２０は、図示しない電線を介して一対のソケット部１００に各々接続される。
【００４２】
以下、このような構成の照明装置の組み立て方法について説明する。まず、スイッチ操作金具３１６の取付板３１６ａを一方のランナ板３１１に取り付け、ロック手段３１０をユニット化する。
【００４３】
そして、ソケット部１００の下面に保持部４００の本体部４１０を当接させ、ソケット部１００及び本体部４１０を第１の固定金具７２０の板部７１１の上面に取り付ける。
【００４４】
その一方で、インターロック機構３００のスイッチ手段３２０を第２の固定金具７２０の下面に取り付ける。
【００４５】
その後、上記第２の固定金具７２０の固定部本体７２１の両端部を、筐体５００の筐体本体５１０の一対の第２の溝部５１２に嵌め込み、スイッチ手段３２０を筐体本体５１０に取り付ける。
【００４６】
次に、ロック手段３１０の一対のランナ板３１１を筐体本体５１０の第１の溝部５１１に嵌め込み、ロック解除位置に位置させる。そして、上記第１の固定金具７１０の４つの脚部７１２を、筐体５００の筐体本体５１０の一対の第２の溝部５１２に嵌め込み、第１の固定金具７１０をソケット部１００及び本体部４１０と共に、筐体本体５１０に取り付ける。
【００４７】
その後、弾性体６００の開口にソケット部１００のガイド突起１４０を挿入する。そして、筐体５００の筐体本体５１０に板部５３０を取り付ける。これにより、弾性体６００を板部５３０とソケット部１００との間に介在させる。
【００４８】
その後、反射板５２０の切欠き部５２１からソケット部１００が露出するように位置合わせをしつつ、当該反射板５２０を筐体本体５１０上にセットする。そして、第２の固定金具７２０の取付アーム７２２に反射板５２０を取り付ける。これにより、第２の固定金具７２０及びスイッチ手段３２０が位置固定される。
【００４９】
以下、このようにして組み立てられた前記照明装置の蛍光ランプＬの取り付け／取り外し方法を説明すると共に、各部の動作について説明する。
【００５０】
まず、ソケット部１００に蛍光ランプＬの口金２０を近づける。すると、蛍光ランプＬの口金２０がソケット部１００の突起部１３０にガイドされ、当該蛍光ランプＬの２本のピン２１がソケット本体１１０の２つの接続穴１１０に挿入される。
【００５１】
すると、保持部４００の一対の爪部４２０が蛍光ランプＬの口金２０の一対の係止部２２の長さ方向の一端部を乗り越えて係止し、蛍光ランプＬを保持する。このように蛍光ランプＬが保持部４００に保持されると、当該保持部４００の付勢力により蛍光ランプＬの口金２０をソケット本体１１０のパッキン部１２０に押圧させる。これにより、蛍光ランプＬとソケット本体１１０との間の密閉性が保たれる。
【００５２】
このとき、蛍光ランプＬの口金２０にソケット部１００の突起部１３０が押されると、第１の固定金具７１０が一対の第２の溝部５１２に沿って移動する。これと共に、ソケット部１００及び保持部４００が筐体本体５１０内を長さ方向に沿って移動する。これにより、弾性体６００が筐体５００の板部５３０とソケット部１００との間で圧縮され、蛍光ランプＬの長さの寸法公差を吸収する。
【００５３】
その後、ロック手段３１０をロック解除位置からロック位置かけて移動させる。すると、ロック手段３１０の一対の押さえアーム３１４が保持部４００の一対の爪部４２０を乗り越え、係止する。これと共に、ロック手段３１０の一対の係止片３１５が一対の係止部２２の長さ方向の他端部を係止する。このようにして保持部４００が口金２０を保持した状態でロックされる。
【００５４】
このとき、スイッチ手段３２０のアクチュエータ３２１がロック手段３１０のスイッチ操作金具３１６から解放される。これにより、電源２１０と安定器２２０との接続がオンになる。
【００５５】
その後、蛍光ランプＬを交換するときには、ロック手段３１０をロック位置からロック解除位置にかけて移動させる。すると、ロック手段３１０の一対の押さえアーム３１４が保持部４００の一対の爪部４２０を乗り越え、その係止が解除される。これと共に、ロック手段３１０の一対の係止片３１５と一対の係止部２２の長さ方向の一端部との係止が解除される。このようにして保持部４００のロックが解除され、蛍光ランプＬの口金２０が保持部４００から取り外し可能となる。
【００５６】
このとき、ロック手段３１０のスイッチ操作金具３１６がスイッチ手段３２０のアクチュエータ３２１を操作する。これにより、電源２１０と安定器２２０との接続がオフになる。
【００５７】
このような照明装置による場合、ロック手段３１０の一対の押さえアーム３１４が保持部４００の一対の爪部４２０を、当該爪部４２０が口金２０の一対の保持部２２を係止した状態で押さえ係止するようになっている。また、一対の押さえアーム３１４の一対の爪部４２０の係止／係止解除に応じて、当該ロック手段３１０のスイッチ操作金具３１６がスイッチ手段３２０のアクチュエータ３２１を操作して、点灯手段２００をオン／オフするようになっている。このため、蛍光ランプＬの口金２０をソケット部１００から取り外すには、ロック手段３１０の保持部４００のロックを解除すると共に、スイッチ手段３２０により点灯手段２００をオフにしなければならないので、点灯手段２００がオンの状態で蛍光ランプＬがソケット部１００から着脱されるのを防止することができる。
【００５８】
しかも、ロック手段３１０の一対の押さえアーム３１４が保持部４００の一対の爪部４２０を押さえ係止した状態で、当該ロック手段３１０の一対の係止片３１５が口金２０の一対の係止部２２の長さ方向の他端部を係止するようになっている。このようにロック手段３１０で保持部４０の一対の爪部４２０を押さえるだけでなく、口金２２の一対の係止部２２の長さ方向の他端部を係止することができるので、当該口金２２がソケット部１００から無理に取り外されるのを防止することができる。よって、点灯手段２００がオンの状態で蛍光ランプＬが取り付け／取り外しされるのを防止する上でメリットがある。
【００５９】
しかも、ロック手段３１０を筐体５００の長さ方向に移動操作するだけであるから、簡単な操作で、ロック手段３１０の保持部４００ロック／ロック解除及びスイッチ手段３２０の点灯手段２００のオン／オフを行うことができる。
【００６０】
更に、蛍光ランプＬの取付過程において、蛍光ランプＬの口金２０にソケット部１００の突起部１３０が押されることにより、ソケット部１００、保持部４００及び第２の固定金具７２０が筐体本体５１０の長さ方向に沿って移動する。そして、弾性体６００が筐体５００の板部５３０とソケット部１００との間で圧縮されることにより、蛍光ランプＬの長さの寸法公差を吸収するようになっている。よって、蛍光ランプＬの寸法公差により、当該蛍光ランプＬのソケット部１００への取り付け又は電気接続が困難になるのを防止することができる。
【００６１】
なお、ソケット部１００については、蛍光ランプの口金を接続可能である限りどのような設計変更を行ってもかまわない。
【００６２】
突起部１３０については、蛍光ランプの口金が当接することにより、前記ソケット部を筐体の長さ方向に移動させるものであれば良く、その形状は任意である。
【００６３】
点灯手段２００については、前記ソケット部に電力を供給し、当該ソケット部に接続された蛍光ランプを点灯させ得るものである限りどのようなものを用いてもかまわない。
【００６４】
インターロック機構３００は、口金を保持した状態の保持部をロック可能であり且つそのロック位置からロック解除位置にかけて移動操作可能なロック手段と、ロック手段がロック位置／ロック解除位置に位置したときに、点灯手段をオン／オフするスイッチ手段とを有する限りどのような設計変更を行っても構わない。
【００６５】
ロック手段３１０については、押さえアーム３１４を少なくとも有していれば良い。押さえアーム３１４の形状については、保持部を当該保持部が口金を保持した状態でロック可能である限り任意に設計変更可能である。
【００６６】
スイッチ手段３２０については、マイクロスイッチであるとしたが、タッチスイッチなどその他のスイッチ手段を用いることが可能である。
【００６７】
保持部４００については、前記ソケット部に設けられ、当該ソケット部に接続された口金を保持可能な形状である限り任意に設計変更可能である。例えば、４対以上の爪部をにより口金を保持するようにしても良い。なお、前記保持部は、爪部により口金を保持するものに限定されるものではないことは言う迄もない。
【００６８】
筐体５００については、上記構成部品を収容することができるものであればどのようなものを用いても構わない。
【００６９】
反射板５２０については、単なる蓋であっても良い。また、反射板５２０を用いる場合には、少なくとも蛍光ランプのランプに対向する部分を反射加工すれば良い。
【００７０】
弾性体６００については、設けるか否かは任意である。この弾性体６００は、板バネであるとしたが、コイルスプリング等のその他のバネ材やゴム等の弾性体で代用可能である。
【００７１】
蛍光ランプＬについては、口金２０がランプ本体１０の長さ方向の両端部に、当該長さ方向と直交する方向に設けられているものであるとしたが、これに限定されるものではない。即ち、本発明の照明装置は、口金がランプ本体の長さ方向の両端部に長さ方向に沿って設けられている蛍光ランプにおいても、適応可能である。
【図面の簡単な説明】
【００７２】
【図１】本発明の実施の形態に係る照明装置の概略的正面図である。
【図２】同装置に使用される蛍光ランプを示す図であって、( ａ) が正面図、( ｂ）が長さ方向の一端部の側面図である。
【図３】同装置の側面図である。
【図４】同装置の長さ方向の一端部の一部の内部構造を示した概略的平面図である。
【図５】同装置のＡーＡ断面図である。
【図６】同装置のＢーＢ断面図である。
【図７】同装置のインターロック機構の概略的平面図であって、（ａ）がスイッチ動作前の状態を示す図、（ｂ）がスイッチ動作後の状態を示す図である。
【図８】同装置のインターロック機構のロック手段の概略的斜視図である。
【図９】同装置の回路図である。
【符号の説明】
【００７３】
Ｌ      蛍光ランプ
１０    ランプ本体
２０    口金
２１    ピン
２２    係止部
１００  ソケット部
２００  点灯手段
３００  インターロック機構
３１０  ロック手段
３１４  押さえアーム
３１５  係止片
３２０  スイッチ手段
４００  保持部
４１０  爪部
【図１】
2008218209.tif 000003
【図２】
2008218209.tif 000004
【図３】
2008218209.tif 000005
【図４】
2008218209.tif 000006
【図５】
2008218209.tif 000007
【図６】
2008218209.tif 000008
【図７】
2008218209.tif 000009
【図８】
2008218209.tif 000010
【図９】
2008218209.tif 000011